(57)【要約】【課題】各種の証明書発行装置に用いられ、オペレータが効率よく欠字を作成することのできる欠字端末システムを提供すること。【解決手段】欠字に対して予め記憶されている欠字イメージを呼び出し、タブレット３Ｄでは、呼び出した欠字イメージの中からそのまま選択、あるいは、編集対象の欠字イメージを選択して該選択した欠字イメージに対して編集を加えることにより、カード情報に存在する欠字を本来の文字に置き換えることが出来る欠字端末システムとする。【選択図】図１
2010086348.tif 000002
【特許請求の範囲】
【請求項１】
ホスト装置からカード発行に必要なカード情報を呼び出して取得し、該カード情報の中に欠字が存在した場合、該欠字を欠字イメージとして生成して本来の文字に置き換える欠字端末システムであって、
前記カード情報の中に前記欠字が存在した場合、前記欠字に対して予めコードを付して記憶されている欠字イメージを呼び出し、該呼び出した欠字イメージの中からそのまま選択、あるいは、編集対象の欠字イメージを選択して該選択した欠字イメージに対して編集を加えることにより、前記カード情報に存在する欠字を本来の文字に置き換えることを特徴とする欠字端末システム。
【請求項２】
前記編集対象の欠字イメージを呼び出す際に、該呼出は予め定められているコードを入力することによって行うことを特徴とする請求項１記載の欠字端末システム。
【請求項３】
前記カード発行に必要なカード情報を呼び出して取得する際に、該呼出は予め定められているコードを入力するによって行い、さらに、欠字イメージを表示させた際に、該欠字イメージは使用頻度順に表示することを特徴とする請求項１記載の欠字端末システム。
【請求項４】
前記コード入力によって呼び出した欠字イメージの中からそのまま選択、あるいは、編集対象の欠字イメージを選択して該選択した欠字イメージに対して編集を行うことにより、前記カード情報に存在する欠字を本来の文字に置き換えた後に、前記コードに関連付けて前記本来の文字の欠字イメージをデータベース化することを特徴とする請求項２または請求項３記載の欠字端末システム。
【請求項５】
前記欠字イメージの編集は、液晶タブレットを用いることを特徴とする請求項１乃至４のいずれか１項に記載の欠字端末システム。
【発明の詳細な説明】
【技術分野】
【０００１】
本発明は、例えば、ＩＤカード等の各種証明書を発行装置で発行する際に、個人情報等の中に、発行装置の記憶装置に収納されていない特殊文字が存在したために発生する欠字に対し、適切な処理をおこなうための欠字端末システムに関する。
【背景技術】
【０００２】
従来、例えば、ＩＤカードを発行する証明用媒体の発行装置は、登録端末装置から申請者の顔画像および個人情報（住所、氏名、生年月日など）を入力することにより、これらをホスト装置へ登録している。その場合、個人情報の中に、証明用媒体の発行装置にあらかじめ登録されていない文字である特殊文字が存在する場合がある。その際は、当該文字に対してタブレットを用いて画像イメージを描画して手書き入力し、文字データを登録する必要がある。また、特殊文字による欠字が存在した場合は、特定の識別子（例えば、＊印）に変換して登録される。
【０００３】
つまり、個人情報の中に欠字が存在した場合は、欠字端末装置で欠字を入力することにより、これを欠字イメージサーバに登録している。
【０００４】
顔画像や個人情報、欠字を登録した後、印刷装置において、ホスト装置から顔画像や個人情報を取得するとともに、欠字イメージサーバから欠字データを取得し、これらをＩＤカード媒体に印刷することによりＩＤカードを発行するようになっている。
【０００５】
ところで、欠字端末装置における欠字の入力方法は以下のように行なわれる。すなわち、まず、ホスト装置から欠字が存在する個人情報を取得して、画面に表示する。次に、表示されている個人情報内の特定の識別子に対応する欠字を、ペンタブレットなどの手書入力手段を用いて直接画面上に入力イメージとして入力する。
【０００６】
ペンタブレットでは、人間が電子ペンにて手書きしたイメージを連続的に点として検知し、それらの点の集合をイメージとして取得している。つまり、ペンタブレットでは、人間が手書きしたイメージを忠実に再現するため、検知された各点の位置を正確に検知してイメージデータを取得している。
【０００７】
欠字端末装置における欠字の入力イメージは、例えば、図１０（ａ）に示すように、１５０ドット×１５０ドットの大きさに設定されていて、そのまま画面に描画するとともに、この入力イメージに対し縮小処理を施して、例えば、図１０（ｂ）に示すように、５０ドット×５０ドットの大きさにしたイメージを欠字イメージとして同じ画面上に描画する。そして、全ての入力対象を入力し終わった時点で、図１０（ｂ）の欠字イメージを欠字として欠字イメージサーバに登録している。（例えば、特許文献１を参照）
【特許文献１】特開２００４−１９２４３１号
【発明の開示】
【発明が解決しようとする課題】
【０００８】
上述のような欠字端末装置による欠字イメージの入力は、欠字を登録する際にペンタブレットを用いて、空白の状態から画像イメージを描画して作成していた。したがって、以下のような問題点が存在する。（ａ）欠字イメージは空白の状態から作成して編集するため手間がかる。（ｂ）編集作業は、ドット単位で編集しているため、イメージ通りの編集をするのにはオペレータが熟練を要する。（ｃ）欠字は、申請者毎に登録されるため、申請者が違えば同じ欠字イメージでも最初から編集する必要があり、オペレータは作成作業に手間がかかる。
【０００９】
本発明は、これらの事情にもとづいてなされたもので、各種の証明書発行装置に用いられ、オペレータが効率よく欠字を作成することのできる欠字端末システムを提供することを目的としている。
【課題を解決するための手段】
【００１０】
本発明の実施形態によれば、ホスト装置からカード発行に必要なカード情報を呼び出して取得し、該カード情報の中に欠字が存在した場合、該欠字を欠字イメージとして生成して本来の文字に置き換える欠字端末システムであって、
前記カード情報の中に前記欠字が存在した場合、前記欠字に対して予めコードを付して記憶されている欠字イメージを呼び出し、該呼び出した欠字イメージの中からそのまま選択、あるいは、編集対象の欠字イメージを選択して該選択した欠字イメージに対して編集を加えることにより、前記カード情報に存在する欠字を本来の文字に置き換えることを特徴とする欠字端末システムが提供される。
【発明の効果】
【００１１】
本発明によれば、各種の証明書発行装置に用いられ、オペレータが効率よく欠字を作成することのできる欠字端末システムを提供することができる。
【００１２】
したがって、オペレータは、コードの入力時に以前に使用したコードの履歴から、欠字イメージを呼び出すことにより編集作業の大幅な軽減が見込まれる。
【００１３】
また、元となるイメージを呼びだすことにより編集作業に不慣れなオペレータでも簡単に編集できる。
【００１４】
また、今までは同じ文字に対するイメージでも、証明書発行者の個人毎に編集していたため、他の証明書発行者との間では文字イメージに差異がある可能性があったが、全ての欠字イメージの編集をコードによる呼び出しをすることにより、欠字を対象とした文字イメージの統一が可能になる。
【発明を実施するための最良の形態】
【００１５】
以下、本発明の欠字端末システムについての実施するための最良の形態を、図面を参照して説明する。
【００１６】
以下、この発明の実施の形態について図面を参照して説明する。
【００１７】
図１は、この発明の実施の形態に係る欠字端末システムを具備したＩＤカード発行システムの概略構成を示すブロック図である。
【００１８】
図１に示すように、ＩＤカード発行システム２０は、登録端末１、ホストコンピュータ２、欠字端末システム３、欠字イメージサーバ４、及び印刷装置５を有し、各々は、ＬＡＮなどのネットワーク回線６を介して接続されている。
【００１９】
これらの構成によるＩＤカード発行システム２０では、登録端末１や欠字端末システム３により入力した各申請者の申請者データ（ユーザデータ）をホストコンピュータ２に登録し、印刷装置５によってホストコンピュータ２に登録されたユーザデータに基づいてＩＤカードを印刷する。
【００２０】
すなわち、登録端末１を用いてオペレータにより、申請者から受領した申請書に基づく個人情報や申請者の顔画像などのユーザデータが入力される。登録端末１の構成は、申請者から受領した申請書に基づいて当該申請者の個人情報などのデータをオペレータが入力する入力端末機器（入力手段）１ａとメモリ１ａｍ、また、申請者の少なくとも顔を含む画像のデータ（顔画像データ）を入力する画像入力機器１ｂとメモリ１ｂｍを有している。
【００２１】
入力端末機器１ａは、図示しない、キーボード、表示部、制御部などで構成される。画像入力部１ｂは、デジタルカメラなどを有する撮影装置などにより構成されている。また、ＩＤカード発行システム２０としては、画像入力部１ｂの代わりに、申請者の顔画像を撮影する撮影装置をＬＡＮ６に接続した構成としてもよい。
【００２２】
オペレータにより登録端末１から入力されたユーザデータは、ＩＤ番号、住所、氏名、本籍、登録月日などの個人情報が含まれている。これらの個人情報は、ホストコンピュータ２に蓄積される。
【００２３】
また、オペレータが登録端末１で、個人情報などの文字を入力した場合、入力した情報を所定のフォント情報に基づいて文字のイメージデータに変換するようになっている。つまり、例えば、ＪＩＳコードに存在する漢字などの文字は、メモリ１ａｍに予め登録されている所定のフォント情報として文字のイメージデータに変換される。
【００２４】
これに対して、所定のフォント情報が存在しない文字は、欠字として入力される。登録端末１では、欠字が生じた場合は、例えば、「＊」などの欠字を示す識別子に変換されて入力される。
【００２５】
これに対して、メモリ１ａｍに所定のフォント情報が存在しない（登録されていない）文字は、欠字として入力される。登録端末１では、欠字が、例えば、「＊」などの欠字を示す識別子に変換されて入力される。
【００２６】
ホストコンピュータ２は、登録端末１により入力された個人情報を含むユーザデータを蓄積する。このホストコンピュータ２は、図２に模式図を示したような、登録者データベース１１を有している。登録者データベース１１には、登録端末１にて入力されたユーザデータとして、ＩＤ番号、氏名、住所、本籍、登録年月日等のデータを蓄積する。
【００２７】
登録端末１にて入力されたユーザデータに欠字が含まれている場合、ホストコンピュータ２は、欠字のイメージデータを入力するために、当該ユーザデータを欠字端末システム３へ転送する。また、ホストコンピュータ２は、ＩＤカードの印刷要求に応じて蓄積したユーザデータを印刷装置５へ転送する。
【００２８】
欠字端末システム３はキーボード３Ａにより、ホストコンピュータ２に蓄積されているユーザデータの中から、欠字を含むユーザデータを取得し、欠字に対するイメージデータを入力する。この欠字端末システム３では、オペレータにより入力された欠字のイメージデータを欠字イメージサーバ４に登録する。
【００２９】
欠字イメージサーバ４は、欠字端末システム３により入力された各欠字のイメージデータを、各欠字を識別するための識別情報（識別子）とともに記憶するデータベース装置である。欠字イメージサーバ４は、図３に模式図を示したような欠字イメージデータベース１２と、図４に模式図を示したような欠字検索用データベース１３とを具備している。欠字イメージデータベース１２には、ＩＤ番号に対応した過去に用いられた欠字イメージがそれぞれ記憶されている。また、欠字検索用データベース１３には、文字コードごとの使用回数等が記憶されている。
【００３０】
印刷装置５は、ホストコンピュータ２からユーザデータを取得してＩＤカードを印刷するものである。また、ユーザデータに欠字が含まれている場合、印刷装置５は、欠字のイメージデータを当該欠字の識別情報に基づいて欠字イメージサーバ４から取得してＩＤカードを印刷する。
【００３１】
次に、欠字端末システム３の内部構成について詳述する。
【００３２】
先に示した図１に構成のブロック図が示され、図５に本体と入力手段の外観図を示す。欠字端末システム３は、制御部３Ｂ、キーボード３Ａ、テンキーパッド３Ｃ、タブレット３Ｄ、記憶部３Ｅ、及び通信部３Ｆなどを有している。
【００３３】
制御部３Ｂは、制御プログラムにより動作するＣＰＵや制御プログラムなどが記憶されたメモリなどにより構成され、欠字端末３全体の制御を司るものである。キーボード３Ａおよびテンキーパッド３Ｃは、オペレータが操作指示やデータなどを入力する際に使用する。
【００３４】
タブレット３Ｄ（描画入力装置）は液晶タブレットで、欠字のイメージデータをオペレータが手書き入力するものである。タブレット３Ｄは、入力用の筆記板および表示装置としての液晶表示装置Ｄ、ポインティングデバイス（手書き入力手段）としてのペン形状のスタイラス（以下、電子ペンと称する）Ｐ、及び制御等を行う回路機構（不図示）などにより構成される。
【００３５】
また、液晶表示装置Ｄは、表示面（以下、入力面と称する）上に電子ペンＰが接触した点を連続的（例えば、所定時間ごと）に検知する検知手段としての機能を有している。これにより、タブレット３Ｄは、液晶表示部Ｄの入力面に電子ペンＰが接触した点を連続的に検知し、オペレータが手書き入力した連続する点の集合からなるイメージデータを取得する。
【００３６】
なお、タブレット３Ｄの代わりに、マウス、トラックボール、タッチスクリーンなどのポインティングデバイス（手書き入力手段）と操作案内あるいは入力データなどを表示する表示装置にて構成するようにしてもよい。この場合、ポインティングデバイスを用いてオペレータが手書きするイメージを取得し、表示装置に入力されたイメージを表示するようにすればよい。
【００３７】
記憶部３Ｅは、ハードディスクドライブやＲＡＭなどの記憶装置により構成され、ホストコンピュータ２からのデータなどを記憶する。
【００３８】
通信部３Ｆは、ネットワーク通信を行うインターフェース装置などにより構成される。通信部３Ｆは、ホストコンピュータ２あるいは欠字イメージサーバ４や登録端末１とのデータ通信を行うものである。通信部３Ｆは、ホストコンピュータ２から欠字を含むユーザデータを取得する取得手段としての機能し、また、欠字イメージサーバ４に登録する欠字のイメージデータを送信する機能等も有している。
【００３９】
図６は、欠字端末システム３により欠字を入力する際の入力画面の表示例を示す説明図である。
【００４０】
欠字の入力を行う場合、オペレータは、キーボード３Ａにより欠字の入力作業の開始を指示する。それにより、欠字端末３の制御部３Ｂは、ホストコンピュータ２に欠字を含むユーザデータを要求する。これに対して、ホストコンピュータ２から欠字を含むユーザデータを受信した際、制御部３Ｂは、タブレット３Ｄの液晶表示部Ｄに欠字を含むユーザデータを表示するとともに、欠字の入力イメージを表示する表示枠を表示する。
【００４１】
例えば、図３に示す表示例では、個人情報欄３１、欠字イメージ表示領域３２、欠字編集エリア３３、呼出ボタン３４、取消ボタン３５、登録ボタン３６、及び終了ボタン３７が表示されている。個人情報欄３１は、ホストコンピュータ２から取得したユーザデータに基づく当該ユーザに関する情報としてＩＤ番号（ＩＤカード番号）、住所、氏名、生年月日などが表示されている。
【００４２】
欠字イメージ表示領域３２には、実際に欠字イメージサーバ４に登録される大きさで欠字のイメージ（欠字イメージ）が表示される。欠字編集エリア３３には、タブレット３Ｄにて入力された大きさで欠字のイメージ（入力イメージ）が表示される。
【００４３】
なお、図７に呼出ボタン３４による呼出画面３４ａを示したように、呼出ボタン３４は、過去に使用された欠字イメージを呼出画面３４ａにより表示させるボタンである。また、取消ボタン３５は操作の取り消しの際に用いるボタンである。また、登録ボタン３６は、欠字イメージ表示領域３２及び欠字編集エリア３３に表示されたイメージの欠字を欠字イメージサーバ４に登録する際にオペレータにより選択されるボタンである。また、終了ボタン２５は、欠字の入力作業を終了する際にオペレータにより選択されるボタンである。
【００４４】
次に、欠字端末システム３における欠字の入力処理について説明する。
【００４５】
欠字の入力処理を行う場合、オペレータがキーボード３Ａを操作して、ＩＤ番号をコード入力して［Ｅｎｔｅｒ］キーを押す。それにより、ホストコンピュータ２から登録者データベース１１を検索し、図６に示したような表示画面が液晶表示部Ｄに表示がされる。すなわち、［Ｅｎｔｅｒ］キーを押すと、制御部３Ｂは、ホストコンピュータ２に欠字を含むユーザデータを要求する。これに対して、ホストコンピュータ２から欠字を含むユーザデータを受信した際、制御部３Ｂは、タブレット３Ｄの液晶表示部Ｄに欠字を含むユーザデータを表示するとともに、欠字の入力イメージを表示する。
【００４６】
例えば、図６に示した表示例では、個人情報欄３１、欠字イメージ表示領域３２が表示されている。個人情報欄３１は、ホストコンピュータ２から取得したユーザデータに基づく当該ユーザに関する情報としてＩＤ番号（ＩＤカード番号）、住所、氏名、生年月日などが表示されている。
【００４７】
欠字イメージ表示領域３２には、個人情報における欠字のイメージが表示されている。
【００４８】
以降、図８の欠字端末システム３における欠字の入力処理を示すフローチャートを用いて説明する。
【００４９】
オペレータが液晶表示部Ｄの表示画面を見て、欠字に対して関連付けられた文字があるか否か判断する。関連付けられた文字の編集が必要であると判断した場合、該当する欠字編集エリアをマウスや電子ペンで選択後、表示画面の呼出ボタン３４を押すと、図７に示したように、呼出画面３４ａが表示される。呼出画面３４ａでは文字コードを入力する（ＳＴ１）事により、編集の際に必要な類似した形の漢字を呼び出すことができる。制御部３Ｂはこの文字コードに対応して標準文字以外の関連付けられた欠字があるか否かを判断する（ＳＴ２）。
【００５０】
この判断の結果、関連付けられた欠字がない場合、制御部３Ｂは入力された文字コードに対応する文字のビットマップデータ（イメージデータ、フォントデータ）を液晶表示部Ｄにより表示する（ＳＴ３）。
【００５１】
さらに、表示された文字をマウスやタブレット３Ｄで加工し（ＳＴ４）、入力された文字コードと関連付けて記録する。（ＳＴ５）
一方、ＳＴ２において関連付けられた欠字があると判断された場合は、オペレータが呼出ボタン３４を押してコードを入力し、［Ｅｎｔｅｒ〕キーを押すと、コードに対応する漢字のイメージと欠字検索用データベース１３から以前に同じコードを使用して編集した欠字イメージが検索され、図６に示したように、呼出画面３４ａには使用回数の多い順に表示される。（ＳＴ６）
オペレータは、表示された呼出画面３４ａを見て、呼出画面３４ａの中から、そのまま使用できる同一文字があるか否かを判断する。（ＳＴ７）
同一文字がない場合、編集の元になるイメージを選んで、テンキーパッド３Ｃからの数字入力で選択する。それにより、選択したイメージが欠字編集エリア３３に表示される。（ＳＴ８）
オペレータは、選択したイメージに対して欠字編集が必要な場合は、ペンＰを用いて必要な編集をおこなう。欠字を液晶タブレット３Ｄ等により手書き入力する際に、欠字に類似する標準文字のイメージデータを表示し、相違部分だけを編集することにより、本来の文字に編集することを実行する。（ＳＴ９）
図９は、欠字イメージの編集の一例を示すもので、「齋藤」の「齋」を、本来の文字である「齊」に編集した場合の例である。
【００５２】
オペレータは全ての欠字の編集が終了したら登録ボタン３６を押下する。この動作により、本来の文字に編集された欠字イメージは、新たに欠字イメージサーバ４に記憶されて追加される。（ＳＴ１０）
なお、ＳＴ７において、同一文字が存在し、同一文字を選択し、選択したイメージが編集されずにそのまま使用された場合（ＳＴ１１）は、当該文字イメージ（ビットマップ）が選択され、欠字検索用データベース１３の使用回数がインクリメント（増す）される。（ＳＴ１２）
また、オペレータは、選択したイメージが編集されて使用された際には、欠字検索用データベース１３にレコード追加をおこなう。
【００５３】
また、一旦登録されたデータはＩＤ番号を入力し、［Ｅｎｔｅｒ］キーを押すことにより、ホストコンピュータ２の登録者データベース１１と、欠字イメージサーバ４の欠字イメージデータベース１２を検索して、表示画面の欠字編集エリア３３に表示し、再編集が可能となる。すなわち、作成した欠字データを標準フォントの文字コードに関連付けて記憶しておくことで、２回目以降の欠字作成を省くことができる。
【００５４】
これにより、オペレータが手書き入力する部分を極力少なくすることにより、手書き入力に時間や手間をかけることなく操作者が意図した欠字のイメージを正確かつ効率的に入力することができ、他の文字との違和感を少なくすることができる。
【００５５】
また、作成した欠字を元にした文字コードとセットにして記録しておくことにより、同じ欠字を複数回作成する必要がなくなる。また、作成した欠字を加工して新たな欠字を作成することができるため、欠字作成にかかる労力をさらに少なくすることができる。
【００５６】
上述した実施形態では、欠字に類似する標準文字を選択する際に、文字コードの入力により行う場合について説明したが、部首、辺の入力、読みの入力、一覧表示からの絞込み、手入力による選択等により、欠字に類似する標準文字を選択するようにしても良い。
【００５７】
なお、本発明は上記の実施形態のそのままに限定されるものではなく、実施段階ではその要旨を逸脱しない範囲で構成要素を変形して具体化できる。また、上記の実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００５８】
【図１】この発明の実施の形態に係る欠字端末システムを具備したＩＤカード発行システムの概略構成を示すブロック図。
【図２】ＩＤカード発行システムのホストコンピュータが備えている登録者データベースの模式図。
【図３】ＩＤカード発行システムの欠字イメージサーバが備えている欠字イメージデータベースの模式図。
【図４】ＩＤカード発行システムの欠字イメージサーバが備えている欠字検索用データベースの模式図。
【図５】本発明の欠字端末システムの本体と入力手段の外観図。
【図６】本発明の欠字端末システムにより欠字を入力する際の入力画面の表示例を示す説明図。
【図７】本発明の欠字端末システムにより欠字を入力する際の入力画面の呼出ボタンを操作した際の呼出画面の例を示す説明図。
【図８】本発明の欠字端末システムにおける欠字の入力処理を示すフローチャート。
【図９】本発明の欠字端末システムによる欠字イメージの編集の一例を示説明図。
【図１０】（ａ）は、従来の欠字端末装置における欠字の入力イメージを示す説明図、は、（ｂ）は、その処理後の説明図。
【符号の説明】
【００５９】
１…登録端末、２…ホストコンピュータ、３…欠字端末システム、３Ａ…キーボード、３Ｂ…制御部、３Ｃ…テンキーパッド、３Ｄ…タブレット、３Ｅ…記憶部、３Ｆ…通信部、４…欠字イメージサーバ、５…印刷装置、６…ネットワーク回線、１１…登録者データベース、１２…欠字イメージデータベース、１３…欠字検索用データベース、２０…ＩＤカード発行システム、３１…個人情報欄３１、３２…欠字イメージ表示領域、３３…欠字編集エリア、３４…呼出ボタン、３５…取消ボタン、３６…登録ボタン、３７…終了ボタン
【図１】
2010086348.tif 000003
【図２】
2010086348.tif 000004
【図３】
2010086348.tif 000005
【図４】
2010086348.tif 000006
【図５】
2010086348.tif 000007
【図６】
2010086348.tif 000008
【図７】
2010086348.tif 000009
【図８】
2010086348.tif 000010
【図９】
2010086348.tif 000011
【図１０】
2010086348.tif 000012